(57)【要約】【課題】スクリュー式キャップを簡単、かつ確実に容器本体に収納できるスクリュー式キャップを備えた容器を提供する。【解決手段】スクリュー式キャップを備えた容器の任意の位置に、該キャップの取り外しに際して装着可能な、該キャップに同一の内径を有する凸型の装着部を設けてなることを特徴とするスクリュー式キャップを備えた容器。また、スクリュー式キャップを備えた容器において、該キャップが二穴構造を有する一体型スクリュー式キャップであり、二穴構造の一方が該容器の充填物を密閉する構造で、他方が該キャップに同一の内径を有する貫通型の構造で、該キャップの取り外しに際して上下逆にして該容器に装着することを特徴とするスクリュー式キャップを備えた容器。【選択図】  図１
2004268999.tif 000002
【特許請求の範囲】
【請求項１】
スクリュー式キャップを備えた容器の任意の位置に、該キャップの取り外しに際して装着可能な、該キャップに同一の内径を有する凸型の装着部を設けてなることを特徴とするスクリュー式キャップを備えた容器。
【請求項２】
スクリュー式キャップを備えた容器において、該キャップが二穴構造を有する一体型スクリュー式キャップであり、二穴構造の一方が該容器の充填物を密閉する構造で、他方が該キャップに同一の内径を有する貫通型の構造で、該キャップの取り外しに際して上下逆にして該容器に装着することを特徴とするスクリュー式キャップを備えた容器。
【発明の詳細な説明】
【０００１】
【発明の属する技術分野】
本発明は、スクリュー式キャップを備えた容器に関するものであり、さらに詳しくは該スクリュー式キャップを簡単、かつ確実に容器本体に収納できるスクリュー式キャップを備えた容器に関するものである。
【０００２】
【従来の技術】
容器の口を閉じるキャップで繰り返し使用されるものとしては、スクリュー式やヒンジ式などがあり、ほぼ全ての容器に採用されている。また、最近ではプッシュプルキャップと呼ばれるタイプが台所用洗剤容器で使われることが多い。
【０００３】
スクリュー式キャップは、キャップおよび容器本体にあらかじめネジが形成されており、容器口の凸ネジ部にキャッピングするタイプである。例えば、図４で示されるようなスクリュー式キャップを備えた容器であり、（ａ）容器口にスクリュー式キャップがねじ込まれた状態、（ｂ）スクリュー式キャップを取り外した状態である。
【０００４】
ヒンジ式キャップは、プラスチックの持つヒンジ特性をいかして、キャップ本体とヒンジを介して上蓋を一体成形したキャップである（例えば、特許文献１参照。）。
【０００５】
プッシュプルキャップは、主に台所洗剤に使用されているキャップで、キャップのつまみ部を引き上げるだけで液を注ぎ出すことができ、つまみ部を押し込むとキャップが閉まった状態になる。このタイプの材質もプラスチックが使用される。
【０００６】
これらの中で、容器中の内容物により容器口を確実に密閉したい場合にはスクリュー式キャップが用いられることが多い。
【０００７】
このスクリュー式キャップを容器口に用いた場合、その容器の内容物を注ぎ出すときはスクリュー式キャップを容器から取り外すことになるが、この取り外したスクリュー式キャップの置き場に困ることも少なくなかった。
【０００８】
また、取り外したスクリュー式キャップを置いた場所を忘れてしまったり、テーブルや機器等の上に置いたキャップを誤って落下させてしまったり、キャップの取り扱い上問題の発生する場合があった。
【０００９】
【特許文献１】
特開平８−４８３５３号公報
【００１０】
【発明が解決しようとする課題】
本発明の目的は、スクリュー式キャップを備えた容器において、該スクリュー式キャップを簡単、かつ確実に容器本体に収納できるスクリュー式キャップを備えた容器を提供することである。
【００１１】
【課題を解決するための手段】
本発明者は、上記に鑑み鋭意検討した結果、本発明のスクリュー式キャップを備えた容器を発明するに至った。
【００１２】
すなわち、本発明のスクリュー式キャップを備えた容器は、該容器の任意の位置に、該キャップの取り外しに際して装着可能な、該キャップに同一の内径を有する凸型の装着部を設けてなることを特徴とするものである。
【００１３】
また、本発明のスクリュー式キャップを備えた容器は、該キャップが二穴構造を有する一体型スクリュー式キャップであり、二穴構造の一方が該容器の充填物を密閉する構造で、他方が該キャップに同一の内径を有する貫通型の構造で、該キャップの取り外しに際して上下逆にして該容器に装着することを特徴とするものである。
【００１４】
【発明の実施の形態】
本発明における実施態様について、図面を用いて説明する。
【００１５】
図１は、本発明における一実施態様を示す概略図であり、（ａ）容器口にスクリュー式キャップがねじ込まれた状態、（ｂ）取り外したスクリュー式キャップを凸型ネジの収納部にねじ込もうとしている状態である。ここで、（ａ）、（ｂ）をもう少し説明する。（ａ）は、凸型ネジの収納部を容器本体に設けたもので、スクリュー式キャップで容器口を密閉している通常の状態である。また、（ｂ）は、容器の内容物を使用するため、スクリュー式キャップを取り外し、スクリュー式キャップを凸型ネジの収納部にねじ込もうとしている状態である。
【００１６】
当然であるが、凸型ネジの収納部には穴は開いていない。
【００１７】
図２は、本発明における他のスクリュー式キャップを示す概略図であり、（ａ）スクリュー式キャップ、（ｂ）ひっくり返した状態のスクリュー式キャップである。このキャップは、これ自体が二穴構造を有する一体型スクリュー式キャップであり、二穴構造の一方が該容器の充填物を密閉する構造で、他方が該キャップに同一の内径を有する貫通型の構造で、この貫通ネジの部分を容器口にねじ込むことでスクリュー式キャップの収納を可能にしている。
【００１８】
図３は、本発明における他の一実施態様を示す概略図であり、（ａ）スクリュー式キャップが容器口にねじ込まれた状態、（ｂ）スクリュー式キャップを取り外した状態、（ｃ）スクリュー式キャップを収納のため、容器口にねじ込もうとしている状態、（ｄ）スクリュー式キャップが収納された状態である。
【００１９】
【発明の効果】
上記のとおり、本発明のスクリュー式キャップを備えた容器は、該スクリュー式キャップを簡単、かつ確実に容器本体に収納することができ、スクリュー式キャップを落下させたり、なくしたりすることがなくなり、作業の効率性や安全性が高めることができる。
【図面の簡単な説明】
【図１】本発明における一実施態様を示す概略図であり、（ａ）容器口にスクリュー式キャップがねじ込まれた状態、（ｂ）取り外したスクリュー式キャップを凸型ネジの収納部にねじ込もうとしている状態である。
【図２】本発明における他のスクリュー式キャップを示す概略図であり、（ａ）スクリュー式キャップ、（ｂ）ひっくり返した状態のスクリュー式キャップである。
【図３】本発明における他の一実施態様を示す概略図であり、（ａ）スクリュー式キャップが容器口にねじ込まれた状態、（ｂ）スクリュー式キャップを取り外した状態、（ｃ）スクリュー式キャップを収納のため、容器口にねじ込もうとしている状態、（ｄ）スクリュー式キャップが収納された状態である。
【図４】従来のスクリュー式キャップを備えた容器を示す概略図であり、（ａ）容器口にスクリュー式キャップがねじ込まれた状態、（ｂ）スクリュー式キャップを取り外した状態である。
【符号の説明】
１１  容器本体
１２、４２  スクリュー式キャップ
１３  容器本体のスクリュー式キャップと同一の内径を有する凸型ネジの装着部
２１、３２  スクリュー式キャップ
２２  容器口を密閉するスクリュー式キャップ部分
２３  スクリューキャップ自体を容器口にねじ込むための貫通ネジ部
３１、４１  容器本体
【図１】
2004268999.tif 000003
【図２】
2004268999.tif 000004
【図３】
2004268999.tif 000005
【図４】
2004268999.tif 000006